(57)【要約】【課題】携帯型通信端末で画像とそれに付随する音声とを入手可能にする。【解決手段】携帯電話機４のＱＲコードリーダ４１により印刷媒体２６のＱＲコード２７を解読してメッセージ管理装置２に発信すると、これにメッセージ管理装置２が応答して呼を確立させ、印刷媒体２６の画像に対応するメッセージが再生される。従って、印刷媒体２６を受け取った携帯電話機４のユーザは、画像に付随する音声メッセージ（例えば、画像がある観光名所であり、音声がこの場所の説明）を聞くことができる。【選択図】  図１
2005197943.tif 000002
【特許請求の範囲】
【請求項１】
画像を送信可能な端末と、
前記画像に対応する音声メッセージの通話音声信号を送信する電話機と、
前記電話機から前記画像に対応する音声メッセージの録音を受け付け、かつ前記音声メッセージの通話音声信号を送信可能なメッセージ記録再生装置と、
前記端末から前記画像を受信し、前記受信した画像の印刷注文を受け付け、前記画像及び前記画像に対応する音声メッセージの通話音声信号の送信開始を指示する２次元コードの印刷を要求する注文情報を送信するサービスサーバと、
前記注文情報を受信し、所定の印刷媒体に前記画像及び前記２次元コードを印刷させるようプリンタに指示する印刷サーバと、
前記所定の印刷媒体に印刷された２次元コードを認識することにより前記メッセージ記録再生装置と接続し、前記画像に対応する音声メッセージの通話音声信号を受信する携帯電話機と、
を備える印刷サービスシステム。
【請求項２】
前記電話機は携帯電話機であり、前記サービスサーバは前記画像に対応する音声メッセージを記録するために着信すべき電話番号を前記電話機に通知し、前記メッセージ記録再生装置は前記電話機による前記通知された電話番号への発信に応じて前記電話機と接続し、前記画像に対応する音声メッセージを録音する請求項１に記載の印刷サービスシステム。
【請求項３】
前記サービスサーバは前記電話機の有する固有の電子メールアドレスに前記電話番号を通知する請求項２に記載の印刷サービスシステム。
【請求項４】
前記メッセージ記録再生装置は前記電話機へ発信して前記電話機と接続し、前記画像に対応する音声メッセージを録音する請求項１に記載の印刷サービスシステム。
【請求項５】
前記端末は前記サービスサーバに送信した画像から前記所定の印刷媒体に印刷する画像の選択を受け付け、かつ前記選択された画像に対応させる音声メッセージの選択を受け付け、前記サービスサーバは前記選択された画像及び前記選択された音声メッセージの通話音声信号の送信開始を指示する２次元コードの印刷を前記印刷サーバに要求する請求項１〜４のいずれかに記載の印刷サービスシステム。
【請求項６】
前記メッセージ記録再生装置は前記録音された音声メッセージをテキストに変換する音声テキスト変換部を有し、前記端末は複数の音声メッセージに各々対応する複数のテキストを表示装置に表示していずれかのテキストの選択を受け付け、前記サービスサーバは前記選択されたテキストに対応する音声メッセージの送信開始を指示する２次元コードの印刷を前記印刷サーバに要求する請求項５に記載の印刷サービスシステム。
【請求項７】
前記端末は前記画像に合成させるフレーム画像の選択を受け付け、前記サービスサーバは前記選択されたフレーム画像と前記画像との合成画像の印刷を前記印刷サーバに要求する請求項１〜６のいずれかに記載の印刷サービスシステム。
【請求項８】
前記端末はパソコンである請求項１〜７のいずれかに記載の印刷サービスシステム。
【発明の詳細な説明】
【技術分野】
【０００１】
本発明はカメラ付き携帯電話機などの携帯電話機から送信された画像の印刷注文を受け付けて画像を印刷するシステムに関する。
【背景技術】
【０００２】
従来、特許文献１に示されるように、ポスター、吊り広告、タウン誌などの広告媒体に印刷されている二次元コード（例えば、ＱＲコード）を撮影し、その二次元コードを解読して取得することができる携帯型通信端末が提案されている。この二次元コードには、広告対象の商品あるいはサービスの詳細情報が載せられている特定のサイトのＵＲＬ（Uniform Resource Locators）が含まれており、携帯型通信端末が二次元のＵＲＬを取得することで特定のサイトにアクセスできるようになっている。
【特許文献１】特開２００２−１１８６８０号公報
【発明の開示】
【発明が解決しようとする課題】
【０００３】
ところが、上述の特許文献１の技術では、携帯型通信端末により広告媒体の指定した特定のＵＲＬにアクセスできるだけであり、ある携帯型通信端末から画像に音声を付随させて他の携帯型端末の利用者にこれらを入手させる具体的技術は開示されていない。本発明はこのような問題点に鑑み、携帯型通信端末で画像とそれに付随する音声とを入手可能にすることを目的とする。
【課題を解決するための手段】
【０００４】
上述の課題を解決するための請求項１に係る発明は、画像を送信可能な端末と、前記画像に対応する音声メッセージの通話音声信号を送信する電話機と、前記電話機から前記画像に対応する音声メッセージの録音を受け付け、かつ前記音声メッセージの通話音声信号を送信可能なメッセージ記録再生装置と、前記端末から前記画像を受信し、前記受信した画像の印刷注文を受け付け、前記画像及び前記画像に対応する音声メッセージの通話音声信号の送信開始を指示する２次元コードの印刷を要求する注文情報を送信するサービスサーバと、前記注文情報を受信し、所定の印刷媒体に前記画像及び前記２次元コードを印刷させるようプリンタに指示する印刷サーバと、前記所定の印刷媒体に印刷された２次元コードを認識することにより前記メッセージ記録再生装置と接続し、前記画像に対応する音声メッセージの通話音声信号を受信する携帯電話機と、を備える印刷サービスシステムである。
【０００５】
請求項２に係る発明は、前記電話機は携帯電話機であり、前記サービスサーバは前記画像に対応する音声メッセージを記録するために着信すべき電話番号を前記電話機に通知し、前記メッセージ記録再生装置は前記電話機による前記通知された電話番号への発信に応じて前記電話機と接続し、前記画像に対応する音声メッセージを録音する請求項１に記載の印刷サービスシステムである。
【０００６】
請求項３に係る発明は、前記サービスサーバは前記電話機の有する固有の電子メールアドレスに前記電話番号を通知する請求項２に記載の印刷サービスシステムである。
【０００７】
請求項４に係る発明は、前記メッセージ記録再生装置は前記電話機へ発信して前記電話機と接続し、前記画像に対応する音声メッセージを録音する請求項１に記載の印刷サービスシステムである。
【０００８】
請求項５に係る発明は、前記端末は前記サービスサーバに送信した画像から前記所定の印刷媒体に印刷する画像の選択を受け付け、かつ前記選択された画像に対応させる音声メッセージの選択を受け付け、前記サービスサーバは前記選択された画像及び前記選択された音声メッセージの通話音声信号の送信開始を指示する２次元コードの印刷を前記印刷サーバに要求する請求項１〜４のいずれかに記載の印刷サービスシステムである。
【０００９】
請求項６に係る発明は、前記メッセージ記録再生装置は前記録音された音声メッセージをテキストに変換する音声テキスト変換部を有し、前記端末は複数の音声メッセージに各々対応する複数のテキストを表示装置に表示していずれかのテキストの選択を受け付け、前記サービスサーバは前記選択されたテキストに対応する音声メッセージの送信開始を指示する２次元コードの印刷を前記印刷サーバに要求する請求項５に記載の印刷サービスシステムである。
【００１０】
請求項７に係る発明は、前記端末は前記画像に合成させるフレーム画像の選択を受け付け、前記サービスサーバは前記選択されたフレーム画像と前記画像との合成画像の印刷を前記印刷サーバに要求する請求項１〜６のいずれかに記載の印刷サービスシステムである。
【００１１】
請求項８に係る発明は、前記端末はパソコンである請求項１〜７のいずれかに記載の印刷サービスシステムである。
【発明の効果】
【００１２】
上記発明によると、画像がパソコンなどの端末からサービスサーバに送信され、サービスサーバに送信された画像に対応させる音声メッセージが携帯電話機や一般電話などの電話機からメッセージ記録再生装置に送信される。端末から画像の印刷注文が受け付けられると、その画像及びその画像に対応する音声メッセージの通話音声信号の送信開始を指示する２次元コードが印刷媒体に印刷される。携帯電話機が印刷媒体の２次元コードを認識すると、印刷媒体の画像に対応する音声メッセージの通話音声信号が携帯電話機に送信される。従って、端末のユーザはカメラ付き携帯電話機などから取り込んだ画像のうち印刷したい画像、画像に付随させるメッセージを端末と電話機の操作で容易に指定できる。また、画像に付随させたいメッセージを２次元コードという形で印刷媒体に記録させておくことができる。そして、印刷媒体を受け取った携帯電話機のユーザは、印刷媒体の２次元コードを携帯電話機に認識させることで画像に付随する音声メッセージを聞くことができる。
【発明を実施するための最良の形態】
【００１３】
以下、添付した図面を参照し本発明の好ましい実施例を説明する。
【実施例１】
【００１４】
（１）機能構成
図１は、本発明の好ましい実施例に係るプリントサービスシステムの機能構成図である。このシステムは、サービスサーバ１、メッセージ管理装置２、携帯電話機３・４、プリントサーバ５、プリンタ６、及びパソコン７を備え、サービスサーバ１、メッセージ管理装置２、携帯電話機３、プリントサーバ５、及びパソコン７はインターネットなどの通信回線で接続されている。また、メッセージ管理装置２と携帯電話機３・４とは移動体無線通信網で接続されている。携帯電話機３は、固有のＥメールアドレスを有し、電子メール（Ｅメール）の送受信が可能である。携帯電話機４は、公知のＱＲコードリーダ４１を備えている。メッセージ管理装置２は、ＣＰＵなどで構成される記録制御部２０と、半導体記憶装置などで構成され音声メッセージを記録するメッセージ記録部２１と、メッセージ記録部２１に記録された音声をテキストに変換する音声テキスト変換部２２と、記録された音声メッセージを通話音声信号として再生する再生部２３とを有しており、記録制御部２０は携帯電話機３からの電話着信により送信される音声メッセージをメッセージ記録部２１に録音させ、記録させた音声メッセージごとに一意的な電話番号を付与する。メッセージ管理装置２は、発信側から着信側に対する通話内容を着信側に代わり録音し、着信側から問い合わせることで録音された音声を再生するいわゆる留守番電話サービスセンターを用いることで構成できる。また、音声テキスト変換部２２は、公知の音声テキスト変換ソフトにより構成できる。
【００１５】
サービスサーバ１はＣＰＵなどで構成されるサービス制御部１０と半導体記憶装置などで構成されるサービス情報記憶部１１とを有している。図２は、サービスサーバ１のサービス情報記憶部１１に記憶される情報をテーブル形式で示した例である。この情報は、このシステムを利用するユーザを識別するユーザＩＤ、ユーザＩＤで識別されるユーザが任意に指定できる自分のＥメールアドレス、ユーザＩＤで識別されるユーザがサービスサーバに送信（アップロード）した１又は複数の画像を表すデータ（以下、このデータを単に画像で表現する）、アップロードした画像のうち印刷する画像を示す画像選択フラグ、ユーザがメッセージ管理装置２に録音したメッセージをテキストに変換したメッセージ、印刷させる画像に付随させるメッセージを示すメッセージ選択フラグ、及び携帯電話機４が特定のメッセージを再生するために着信する電話番号を対応づけている。なお、この図のように１つのユーザＩＤと画像やメッセージの対応は１対１でなくてもよい。そして、後述のように、１つのユーザＩＤに対応する画像やメッセージが複数の場合、印刷する画像及びその画像に付随させるメッセージをパソコン７で選択できるようにすることができる。
【００１６】
再び図１を参照すると、プリントサーバ５は、サービスサーバ１から受信した注文情報に従って印刷データを作成してプリンタ６に出力する。プリンタ６は、印刷データに基づいてインスタントプリントやポストカードなどの所定の印刷媒体に印刷する。図４は、プリンタ６の印刷例である。図４のように、印刷媒体２６の中央には画像が印刷されており、印刷媒体２６の四隅には複数のＱＲコード２７Ａ〜２７Ｄが印刷されている。これらのＱＲコード２７Ａ〜２７Ｄのうちいずれか１つが図２のメッセージ選択フラグで示されるメッセージを聞くために携帯電話機４が着信する電話番号を表すものであるが、その他のＱＲコードには広告にアクセスさせるためのＵＲＬや、ＵＲＬ以外の情報（例えば、パソコン７から指定された文字列）を埋め込んでもよい。なお、プリントサーバ５及びプリンタ６は１箇所に限らず全国に複数箇所設置し、後述のようにユーザが指定する送付先に最も近いプリントサーバ５及びプリンタ６に注文情報及びＱＲコードを送信するのが望ましい。
【００１７】
（２）プリントサービスシステムで行われる処理
以下、図３に従ってプリントサービスシステムで行われる処理を説明する。パソコン７は外部のデジタルカメラやカメラ付き携帯電話機などから取り込んだ画像のうちサービスサーバ１にアップロードする画像の指定と、パソコン７のユーザの使用する携帯電話３のＥメールアドレスの入力とを受け付け（＃０）、指定された画像及び入力されたＥメールアドレスをサービスサーバ１に送信する（＃１）。サービスサーバ１のサービス制御部１０は、パソコン７から画像及びＥメールアドレスを受信すると、受信した画像及びＥメールアドレスとこれらを送信したユーザのユーザＩＤとを対応づけてサービス情報記憶部１１に記憶する（＃２）。なお、ユーザＩＤは、この処理の開始前に予めログイン画面などによりパソコン７のユーザに入力させればよい。さらに、サービスサーバ１のサービス制御部１１は、メッセージ管理装置２のメッセージ記録部２１内に所定の時間（例えば、一分間）だけ音声メッセージを記録できる領域を確保するようメッセージ管理装置２に要求する（＃３）。メッセージ管理装置２の記録制御部２０は、この要求を受信すると、メッセージ記録部２１に所定の時間だけ音声メッセージを記録できる領域を確保させ、この領域にメッセージを記録するために携帯電話機３から発呼すべき電話番号を一意的に付与する（＃４）。
【００１８】
メッセージ管理装置２の記録制御部２０は、＃４で付与した電話番号をサービスサーバ１に通知する（＃５）。電話番号を受信したサービスサーバ１のサービス制御部１０は通知された電話番号を＃２のユーザＩＤに対応づけてサービス情報記憶部１１に記憶させ（＃６）、さらにこのユーザＩＤに対応するＥメールアドレスに送信する（＃７）。携帯電話機３が送信された電話番号を指定して発呼すると、携帯電話機３からメッセージ管理装置２へ着信して呼が確立し、携帯電話機３からの通話音声が電話番号で特定される領域に記録される（＃８）。メッセージ管理装置２の音声テキスト変換部２２は、呼確立から所定時間が経過するかまたは所定時間内に呼が切断された場合、＃８で記録されたメッセージの全部又は一部（例えば、記録開始から１０秒間記録されたメッセージに相当する部分）をテキストに変換し（＃９）、サービスサーバ１に送信する（＃１０）。サービスサーバ１のサービス制御部１０は、テキストを受信すると、＃２のユーザＩＤにテキストをさらに対応づけてサービス情報記憶部１１に記憶させる（＃１１）。
【００１９】
サービスサーバ１のサービス制御部１０は、＃２のユーザＩＤに対応して既にサービス情報記憶部１１に記憶されている画像及びメッセージのうちいずれかの画像及びメッセージを選択させるＷｅｂフォームをパソコン７に送信する（＃１２）。このフォームには、既にサービスサーバ１にアップロードした画像と既に録音したメッセージあるいは画像の周縁を装飾するフレームなどを一覧形式などによりパソコンに表示させてユーザに印刷したい画像、フレーム及びその画像に付随させたいメッセージを選択させる（＃１３）。そして、選択がされた場合、その結果を印刷要求としてサービスサーバ１に送信する（＃１４）。サービスサーバ１のサービス制御部１０は、選択された画像に対応する画像選択フラグを立て、選択されたメッセージに対応するメッセージ選択フラグを立てる。次に、メッセージ選択フラグに対応する電話番号をＱＲコード化する。そして、画像選択フラグに対応する画像のデータと電話番号のＱＲコードとを注文情報としてプリントサーバ５に送信する（＃１６）。なお、＃１３でフレームが選択されている場合は画像選択フラグに対応する画像のデータと選択されたフレームの画像データとが合成されたデータがＱＲコードとともに注文情報として送信される。プリントサーバ５は、受信した注文情報・ＱＲコードに基づいて画像・フレーム・ＱＲコードを印刷媒体２６に印刷させるための印刷データを作成して（＃１７）プリンタ６に出力する（＃１８）。プリンタ６は、図４のように受信した印刷データに基づいて印刷媒体２６に画像やＱＲコード２７などを印刷する（＃１９）。
【００２０】
携帯電話機４のＱＲコードリーダ４１が印刷媒体２６に印刷されているＱＲコード２７を解読して電話番号を認識するとこの電話番号に発信する。この発信をメッセージ管理装置２が着信して呼を確立させると、メッセージ管理装置２の再生部２３はＱＲコード２７の電話番号で特定される領域に記録されるメッセージの通話音声信号を携帯電話機４に送信する。
【００２１】
なお、図示していないが、各ユーザは必要に応じて＃０から＃８を繰り返すことができ、この繰り返しによりサービスサーバ１、メッセージ管理装置２にそれぞれ複数の画像、複数のメッセージを記憶・記録させることができる。また、＃１３で印刷媒体２６の送付先、印刷料金の決済方法などを指定・選択させてもよい。そして、送付先（例えばコンビニエンスストア、写真店、自宅）が指定されている場合はこの印刷媒体２６を指定の送付先に郵送などで送付してもよい。
【００２２】
（３）本実施例に係るプリントサービスシステムの特徴
上述のように、パソコン７から画像と携帯電話３のＥメールアドレスをサービスサーバ１に送信すると（＃１）、音声メッセージを特定する電話番号がユーザＩＤと対応づけられてサービスサーバ１に記憶され（＃６）、入力されたＥメールアドレスを有する携帯電話機３に電話番号が送信される（＃７）。携帯電話機３でこの電話番号を指定すると、携帯電話機３からメッセージ管理装置２へ着信して呼が確立し、携帯電話機３からの通話音声がこの電話番号で特定される領域に記録される（＃８）。パソコン７によりサービスサーバ１に記憶された画像のうち任意の画像とメッセージを選択すると（＃１３）、選択された画像及びその画像に対応する音声メッセージを再生させる電話番号のＱＲコードが印刷媒体に印刷される（＃１９）。従って、パソコン７のユーザはカメラ付き携帯電話機などから取り込んだ画像のうち印刷したい画像、フレーム、画像に付随させるメッセージをパソコン７と携帯電話機３の操作で容易に指定できる。そして、画像に付随させたいメッセージをＱＲコード２７という形で印刷媒体２６に記録させておくことができる。
【００２３】
また、携帯電話機４のＱＲコードリーダ４１により印刷媒体２６のＱＲコード２７を解読してメッセージ管理装置２に発信すると、これにメッセージ管理装置２が応答して呼を確立させ、印刷媒体２６の画像に対応するメッセージが再生される。従って、印刷媒体２６を受け取った携帯電話機４のユーザは、画像に付随する音声メッセージ（例えば、画像がある観光名所であり、音声がこの場所の説明）を聞くことができる。
【実施例２】
【００２４】
実施例１では、携帯電話機３の有するＥメールアドレスを入力し（＃０）、メッセージ管理装置２の付与した電話番号を携帯電話機３に送信（＃７）していたが、パソコン７のＥメールアドレスを入力してパソコン７に電話番号を送信するようにしてもよい。そして、パソコン７のユーザは電話番号を受信した場合、携帯電話機３やその他の一般電話からこの電話番号を指定して電話をかけることで音声メッセージをメッセージ記録部２１に記録してもよい。このようにしても、印刷媒体２６を受け取った携帯電話機４のユーザは画像に付随する音声メッセージを聞くことができる。
【実施例３】
【００２５】
実施例１ではサービスサーバ１が電話番号を携帯電話機３に送信し（＃７）、携帯電話機３からメッセージ管理装置２に電話をかけていたが、＃０で携帯電話機３あるいはその他の一般電話機を含む電話機の電話番号を入力できるようにし、電話番号が入力された場合、メッセージ管理装置２はその電話番号に電話をかけ、呼が確立した場合はその通話内容を＃８と同様にメッセージ記録部２１に記録するようにしてもよい。このようにしても、印刷媒体２６を受け取った携帯電話機４のユーザは画像に付随する音声メッセージを聞くことができ、またパソコン７のユーザが自分からメッセージ管理装置２に電話をかける手間も省ける。
【図面の簡単な説明】
【００２６】
【図１】本発明の好ましい実施例に係るプリントサービスシステムの機能構成図。
【図２】サービス情報記憶部に記憶されるデータの一例。
【図３】本システムで実行される処理の流れを示す図。
【図４】印刷媒体に印刷されたＱＲコードの一例。
【符号の説明】
【００２７】
１・・サービスサーバ、２・・メッセージ管理装置、３、４・・携帯電話機、５・・プリントサーバ、６・・プリンタ、７・・パソコン
【図１】
2005197943.tif 000003
【図２】
2005197943.tif 000004
【図３】
2005197943.tif 000005
【図４】
2005197943.tif 000006